(57)【特許請求の範囲】
【請求項１】
所要大きさの網目と、直径と、長さとを有する網状体外筒と；
所要大きさの網目と、直径と、長さとを有し、該網状体外筒内に一体に嵌合される複数の網状体内筒と；
該網状体内筒に挿入される複数本の棒状フロート部材と；
該網状体内筒中心に嵌合された中空管と；
中心に貫通孔を有し、該網状体外筒の両端に夫々一体に嵌合される半球形キャップと；
一端に円形フランジと、中心に貫通孔と、他端の周囲の螺合溝にナットを螺合し、一端を該中空管に部分的に嵌合し、該半球形キャップの該中心貫通孔に螺合される締結ボルトと；
所要の幅と厚みとを有し、一端を蝶番で連結・枢支し、他端にボルト貫通孔を穿設したフランジと、第１シャックルを有し、該フランジに隣接して突設されるアイ・ボルトと、該アイ・ボルトの上方に設けられる仮止め用第２シャックルとを有し、該網状体外筒の長手方向の所要箇所外側に嵌合される円形締結体と、所要のターン・マークの丸型ブイに設けられる第３シャックルと；
該第１シャックルと、該仮止め用第２シャックル及び第３シャックルとに貫通される係留用アンカー・チェーンと；
所要間隔でストッパーを有し、該締結ボルトと該中空管に貫通されるワイヤ・ロープとから成り；
該網状体外筒の長手方向周囲所要箇所に外側から嵌合される該円形締結体により一体に締結され、該フランジの該ボルト貫通孔にボルトを螺合して該網状体外筒を一体に締結し、該締結ボルトと該中空管に貫通される該ワイヤ・ロープの該ストッパーを該半球形キャップの前後端に位置させ、ブイ本体を水面に一直線状に浮遊状態で固定させる消波機能を有するブイ。
【発明の詳細な説明】
【０００１】
【産業上の利用分野】
この発明は、消波機能を有するブイに関し、更に詳しくは例えば競艇場の競走水面、河岸、貯水池、湖、海等に設けられる消波機能を有するブイで、特に競艇場の競走水面のタ―ン・マ―クに浮遊状態でも一直線を保持しながら固定可能なタ―ン・マ―ク用消波機能を有するブイの改良に関する。
【０００２】
【従来の技術】
図１〜３において、消波装置を競艇場の競走水面に設ける実施例について説明すると、競艇場の競走水面においては、周囲を警告色（赤と白）に交互に着色し、競走水面に３００ｍの間隔をおいて相対して浮遊・係留される円錐形1、2番タ―ン・マ―クTM１、TM２を、６隻のレ―ス艇Ｂが平均約６０ｋｍ／ｈの速度で楕円形を描きながら１周約３５秒で３周回一斉に航走しながら直線区間では最高速度約８０〜８３ｋｍ／ｈで競走する。尚、この図でPはピット、ＣＬはセンター・ライン、FLはファウル・ライン、Sはスタンドを夫々示すものとする。
【０００３】
しかし競艇場の競走水面をレ―ス艇Ｂが走行すると、コース上の水面に波が発生する。また、航走により造波される曳き波のほかに、風等の自然条件により発生する波が岸壁、競艇場内のその他機器に衝突し、跳ね返って来た返し波と干渉して大きな波となり、この大きな波が高速で航走するレ―ス艇Ｂの障害となり、各レ―ス艇Ｂの転覆の原因となる場合もある。
【０００４】
前述の通り、各レ―ス艇Ｂは、直線区間では最高速度約８０〜８３ｋｍ／ｈの高速度で航走するから、１、２番のタ―ン・マ―クTM１、TM２をタ―ンする際、各レ―ス艇Ｂが横滑りして岸壁、ポ―ル、塔、その他の機器に衝突したり、又はバランスを失ってレ―ス艇Ｂから投出された選手は、岸壁或いはこれらの機器に衝突して負傷したり、最悪の場合はレ―ス艇Ｂのバウが他のレ―ス艇Ｂの選手に衝突して死亡事故に至る事がある。
【０００５】
そこで危険防止のために各種の消波装置を開発し、この特許出願人等は、競艇場内の岸壁側等に設ける各種の消波装置を提案した（例えば、特開昭５１−６８，３４２号、特開昭５３−１３７，７３３号、特開平５７―０３，６７３号、特開平５７―６８，３４２号、特開平５７―１１７，８８７号等）。
【０００６】
更に注意しなければならないのは、これら６隻のレ―ス艇Ｂが1、2番のタ―ン・マ―クTM１、TM２を楕円形を描きながらタ―ンする際、該タ―ン・マ―クTM１、TM２の周辺で曳き起される大きな曳き波が、水平と垂直方向とに蛇行するので、タ―ンしながら競走する他のレ―ス艇Ｂの航走を邪魔するほかに、レ―ス艇Ｂの転覆の原因ともなり危険極まりない。
【０００７】
従って該タ―ン・マ―クTM１、TM２周辺の曳き波を消波するため、該各タ―ン・マ―クTM１、TM２の内側に図２に示すような１本の長さが２０ｍで、直径約４０ｃｍの新たな２本のタ―ン・マ―クTM１、TM２  の消波機能を有する進入禁止表示ブイ１を水面ＷＬに直線状に浮遊状態に設けている（例えば、特開２００１−１６４，５３６、特開２００１−１６４，５３７、特願２０００−４０４，９５８、特願２００２−０５９４３８等）。
【０００８】
【発明が解決しようとする課題】
（１）既に提案された競艇場の1、2番のタ―ン・マ―クTM１、TM２  の消波機能を有する進入禁止表示ブイ１は、図２に示す通り、長さ約２０ｍで直径約４０ｃｍの網状体外筒２内に、ポリエチレン製細紐をロープ４で多数本束ねてネット状にした長さ約２０ｍで直径約４０ｃｍの複数の網状体内筒３を収納して多孔性円柱とした該外筒２を２連一列とし、水面ＷＬに浮遊状態で配置し、繋留バンド６で締結した該外筒２をシャックル７とチェーン８とを介して水底のアンカー（図示せず）に連結し、且つ一端を1、2番のタ―ン・マ―クTM１、TM２    のいずれかと他端を丸型ブイBｙとに連結するから曲折し易すく、直線状を維持し難いから、レ―ス艇Bの航走やタ―ンにより曳き起される曳き波の影響を受け、しかも構造上容易に破損或いは破断し易い。
【０００９】
（２）また該タ―ン・マ―クの消波機能を有する進入禁止表示ブイ１の両端はルーズであり、その中心を中々捉えらえられないから直線状を維持不可能であり、横揺れを防止出来ないので十分な消波効果が得られない。
【００１０】
（３）該タ―ン・マ―クの消波機能を有する進入禁止表示ブイ１の数箇所を結束ロープで締付けており、繋留方法もアンカーだけであるから、多数のアンカ―を介して水底に固定しても、レ―ス艇Ｂの航走やタ―ンにより該消波装置が蛇行するから全長を浮遊状態で直線状に維持・固定できないので発生した波を十分に減衰不可能で、消波効果が不十分である。
【００１１】
（４）該タ―ン・マ―クの消波機能を有する進入禁止表示ブイ１は、耐久性が低いので度々交換する必要があり、その交換作業に相当の労力と時間とを要し、不経済である。
【００１２】
（５）該タ―ン・マ―クの消波機能を有する進入禁止表示ブイ１においては、一端をアイ・ボルトにシャックルを介して連結し、他端を水底のアンカ―に連結した係留用チェ―ンが水中に導かれるので水中の作業は中々困難であり、特に冬季の水中作業は作業者の相当の犠牲を強いるものである。
【００１３】
【課題を解決するための手段】
この発明は、従来の消波機能を有するブイの前述の欠陥を除去するもので、その第１要旨は、所要大きさの網目と、直径と、長さとを有する網状体外筒と；所要大きさの網目と、直径と、長さとを有し、該網状体外筒内に一体に嵌合される複数の網状体内筒と；該網状体内筒に挿入される複数本の棒状フロート部材と；該網状体内筒中心に嵌合された中空管と；中心に貫通孔を有し、該網状体外筒の両端に夫々一体に嵌合される半球形キャップと；一端に円形フランジと、中心に貫通孔と、他端の周囲の螺合溝にナットを螺合し、一端を該中空管に部分的に嵌合し、該半球形キャップの該中心貫通孔に螺合される締結ボルトと；所要の幅と厚みとを有し、一端を蝶番で連結・枢支し、他端にボルト貫通孔を穿設したフランジと、第１シャックルを有し、該フランジに隣接して突設されるアイ・ボルトと、該アイ・ボルトの上方に設けられる仮止め用第２シャックルとを有し、該網状体外筒の長手方向の所要箇所外側に嵌合される円形締結体と、所要のターン・マークの丸型ブイに設けられる第３シャックルと；該第１シャックルと、該仮止め用第２シャックル及び第３シャックルとに貫通される係留用アンカー・チェーンと；所要間隔でストッパーを有し、該締結ボルトと該中空管に貫通されるワイヤ・ロープとから成り；該網状体外筒の長手方向周囲所要箇所に外側から嵌合される該円形締結体によりに締結され、該フランジの該ボルト貫通孔にボルトを螺合して該網状体外筒を一体に締結し、該締結ボルトと該中空管に貫通される該ワイヤ・ロープの該ストッパーを該半球形キャップの前後端に位置させ、ブイ本体を水面に一直線状に浮遊状態で固定させる消波機能を有するブイである。
【００１４】
その第２要旨は、網状体外筒の両端に夫々一体に嵌合される半円筒形キャップをガラス繊維強化プラスチックとして成る消波機能を有するブイである。
【００１５】
その第３要旨は、所望に応じ、中空管内に貫通されるワイヤ・ロープを中心に位置する網状体内筒内に貫通することを特徴とする消波機能を有するブイである。
【００１６】
【発明の実施の態様】
この発明に係る消波機能を有するブイを競艇場の1、2番のタ―ン・マ―クTM１、TM２に設けられる消波機能を有する進入禁止表示ブイ１０として使用する実施例について説明する。
【００１７】
【実施例】
請求項１記載の発明の実施例について説明する。図４において、周囲を警告色（赤と白）に交互に着色した円錐形1、2番タ―ン・マ―クTM１、TM２を競艇場水面中央でスタンドSの正面に３００ｍの間隔で相対して浮遊・繋留する。
【００１８】
1、2番の該タ―ン・マ―クTM１、TM２に夫々設けられる消波機能を有する進入禁止表示ブイ１０本体の外筒２０は、約２０ｍの長さで直径約４０ｃｍの多孔性円柱であり、所要厚みとを有するメッシュ、ネット等の網状体の略円筒体である。
【００１９】
該網状体外筒２０内に貫通される複数の網状体内筒３０、３０・・・は、夫々約２０ｍの長さと、所要厚みとを有するメッシュ、ネット等の網状体の略円筒体である。
【００２０】
該網状体外筒２０の網目２１の大きさは、該網状体内筒３０の網目３１のそれより小さくし、該網状体外筒２０は、約２０ｍの長さと、所要厚みとを有するメッシュ、ネット等の網状体の略円筒体とする。
【００２１】
該網状体外筒２０と該網状体内筒３０を構成する合成樹脂製材料としては、夫々ポリエチレン、ポリプロピレン等のポリオレフィン、ポリエチレンテレフタレート等のポリエステル、ポリ塩化ビニル、ポリアミド、ポリテトラフルオロエチレン、ポリスチレン、或いはこれらのうちの少なくとも１種を含む共重合体、ポリマ−ブレンド等が挙げられる。該網状体外筒２０と該網状体内筒３０の構成材料は、同一としても又は異なるものとしてもよい。
【００２２】
この様な合成樹脂製材料により形成された該網状体外筒２０と該網状体内筒３０・・・において、網の交差部位が溶融により固着、又は一体化されているのが好ましい。これによって網目の目崩れが生ぜず、破損防止、耐久性の向上が図れると共に、変形に対する優れた復元力が得られるので、優れた耐衝撃性と高い緩衝機能とが得られる。
【００２３】
前述の通り、この発明に係る消波機能を有する進入禁止表示ブイ１０においては、該外筒２０及び該内筒３０・・・は、夫々網状体（メッシュ、ネット等）で構成されているが、それらの網目の大きさは異なるものとする。
【００２４】
即ち該外筒２０の網目２１の大きさは、該体内筒３０の網目３１の大きさより小さくするので、次の様な諸効果が得られる。
【００２５】
（１）より優れた消波効果（波を減衰する効果）が得られる。
（２）該網状体外筒２０と該網状体内筒３０共に伸縮性、弾力性を有し、該網状体内筒３０の束が芯材として機能するので、該消波機能を有する進入禁止表示ブイ本体１０全体として十分な強度を保持しながら、高い緩衝機能を発揮し、従ってレ―ス艇Ｂが衝突した場合の安全性（レ―ス艇の破損防止や、選手のけが防止効果等）が高くなる。
（３）ゴミ等の浮遊物が該網状体外筒２０の中に侵入し難く、これにより高い消波効果を持続可能となる。
【００２６】
該網状体外筒２０と該網状体内筒３０の径は、特に限定されないが、該網状体外筒の内径をD1、該網状体内筒３０の外径をD2としたときは、
D2／Ｄ１が０．０１〜０．５程度が好ましく、０．０４〜０．３９程度がより好ましく、０．０６〜０．３９程度がより好ましく、０．０６〜０．３４程度が更に好ましい。
【００２７】
この発明においては、図５〜１０に示す通り、該網状体外筒２０の１つの網目２１の開孔面積（開口面積）をS1、該網状体内筒３０の１つの網目３１の開孔面積（開口面積）をS２としたとき、開孔面積比S1／Ｓ２が、０．０５〜０．９程度であるのが好ましく、０．０８〜０．０７５程度であるのがより好ましく、０．１５〜０．６５程度であるのが更に好ましい。開孔面積比がこの範囲内であると、各効果、特に効果▲１▼及び▲３▼がより顕著に発揮される。
【００２８】
該網状体外筒２０の１つの網目２１の開孔面積（開口面積）S1は、特に限定されないが、０．８〜４０ｃｍ２程度であるのが好ましく、１．６〜３０ｃｍ２程度がより好ましく、２．８〜２５ｃｍ２程度であるのが更に好ましい。この開孔面積（開口面積）S1が大き過ぎると、ゴミ等の浮遊物の侵入を阻止する効果が少なくなり、また開孔面積（開口面積）S1が小さ過ぎると、開孔率が小さい場合に、消波効果が減少することがある。また、該網状体外筒２０内へのゴミ等の侵入を防止するために、図１０に示す通り、該網状体外筒２０の両端は閉じられている。
【００２９】
該網状体内筒３０内に複数本の棒状フロート部材３２、３２・・・を水面ＷＬと平行な方向に沿って列状となる様に挿入して配置し、該消波機能を有する進入禁止表示ブイ１０の浮力を調節する。
【００３０】
図４に示す通り、該進入禁止表示ブイ本体１０の一端を1、2番の該タ―ン・マ―クTM１、TM２  のいずれかと、他端を丸型ブイＢｙとに夫々連結する。
【００３１】
図５、６において、該網状体外筒２０の長手方向の所要個所外側に締結される円形締結体５０は、所要の幅と厚みとを有する一対の半円形締結体５０ａ、５０ａの一端を蝶番５２により連結・枢支し、他端にボルト貫通孔５０ｂ‘、５０ｂ’を穿設したフランジ５０ｂ、５０ｂを有し、該ボルト貫通孔５０ｂ‘、５０ｂ‘内にボルト５０ｃを貫通し、ナット５０ｄを螺合して締結し、該網状体外筒２０を外側から確実に締結可能とする。
【００３２】
該半円形締結体５０ａ、５０ａの該フランジ５０ｂ、５０ｂに夫々隣接してアイ・ボルト５４、５４を一体に設け、該各アイ・ボルト５４に第１シャックル５６を連結し、該各アイ・ボルト５４の上方に仮止め用第2シャックル５６ａを設ける。
【００３３】
図1２において、該進入禁止表示ブイ本体１０の周囲に外側から嵌合した該タ―ン・マ―クTM１、TM２  のいずれかと、該丸型ブイＢｙに仮止め用第３シャックル５６ｂを係留用アンカー・チェ―ン６０によりアンカー６２に連結する。
【００３４】
水底に設置されたアンカー（金属製、コンクリート製共）６２、６２に下端を接続した該係留用アンカー・チェ―ン６０、６０を水中で交差させ、該第１シャックル５６、５６と該仮止め用第2シャックル５６ａ、５６ａとを貫通し、それらの上端を1、2番の該タ―ン・マ―クTM１、TM２  のいずれか又は該丸型ブイＢｙの第３シャックル５６ｂに連結する。
【００３５】
前述の通り、該網状体外筒２０の該中空管３６の両端内に締結ボルト３８、３８を貫通し、該締結ボルト３８、該中空管３６及び該締結ボルト３８内に所要間隔でストッパー４０ａ、４０ａ・・を有するワイヤ・ロープ４０を貫通し、該ストッパー４０ａ、４０ａを該締結ボルト３８の内外に位置させて該消波機能を有する進入禁止表示ブイ１０を固定する。
【００３６】
請求項２において、該網状体外筒２０と該網状体内筒３０の両端に、中心に貫通孔３４ａを有するガラス繊維強化プラスチック製半円筒形キャップ３４を一体に設け、該貫通孔３４ａ内に図７、８、１１に示す様に他端の周囲の螺合溝３８ａにナット３８ｂを螺合した締結ボルト３８を貫通する。
【００３７】
請求項３において、中空管３６内に貫通されるワイヤ・ロープ４０の代わりに、中心に位置する該網状体内筒３０内に該ワイヤ・ロープ４０を貫通したことを特徴とする消波機能を有するブイ１０本体である。
【００３８】
【発明の作用】
競艇場の第1、2番タ―ン・マ―クTM１、TM２間の内側水面ＷＬと水中に配置・係留されるタ―ン・マ―ク用消波機能を有するブイ１０の長手方向中心に貫通される該中空管３６及び該締結ボルト３８内に該ワイヤ・ロープ４０を貫通し、該ストッパー４０ａ、４０ａを該締結ボルト３８の内外に位置させて該消波機能を有する進入禁止表示ブイ１０を固定する。
【００３９】
【発明の効果】
（１）前述の通り、この発明に係る競艇場のタ―ン・マ―ク用消波機能を有するブイ１０においては、該網状体外筒２０内に貫通される複数の網状体内筒３０、３０・・・の中心長手方向に該中空管３６を配置し、その中にストッパー４０ａ・・・を有するワイヤ・ロープ４０を貫通し、該ストッパー４０ａ・・・を該中空管３６先端の該締結ボルト３８の両端で固定するから、該ブイ１０が水面ＷＬに浮遊していても一直線を維持・固定し、レ―ス艇Ｂの航走やタ―ンにより曳き起される曳き波を減衰或いは消波するので、安全航走が可能となる。
【００４０】
（２）この発明に係る競艇場のタ―ン・マ―ク用消波機能を有するブイ１０の両端に、中心に貫通孔３４ａを有するガラス繊維強化プラスチック製半円筒形キャップ３４を一体に設けるから、該網状体外筒２０の中心を容易に捉えらえられるので、海岸、河川、沼等の自然環境にも設置が容易となる。
【００４１】
（３）この発明に係る競艇場のタ―ン・マ―ク用消波機能を有するブイ１０は、その該網状体外筒２０の長手方向の所要個所外側を一対の半円形締結体５０ａ、５０ａから成る円形締結体５０により外側から確実に締結するから、結束ロープだけの繋留方法と比較して該ブイ１０の全長を浮遊状態でも一直線状に維持・固定できるので発生した波を十分に減衰可能となり、充分な消波効果が得られる。
【００４２】
（４）該ブイ１０に連結した該係留用アンカー・チェ―ン６０、６０を水中で交差させて水底の該アンカー６２、６２に連結するから、該ブイ１０の全長を浮遊状態でも一直線状に維持・固定できる。
【００４３】
（５）該ブイ１０に連結した水中の該係留用アンカー・チェ―ン６０、６０、該アンカー６２、６２等の保守点検、修理等を実施する場合、1、2番の該タ―ン・マ―クTM１、TM２  のいずれか又は該丸型ブイＢｙの第３シャックル５６ｂ、５６ｂに連結した該係留用アンカー・チェ―ン６０、６０の先端を水上で分離又は連結するので、作業者が水中に手を入れて作業する必要がなくなるので冬季でも作業が容易になる。
【図面の簡単な説明】
【図１】は、競艇場に設けられている公知のスタンド、ピット、センター・ライン、ファウル・ライン、ターン・マークの消波機能を有する侵入禁止表示ブイ並びにピットから出走した6隻のレース艇が競争水面の第2ターン・マークに向かって走行している状態を示す平面略図。
【図２】は、図１の公知のターン・マーク用消波機能を有する侵入禁止表示ブイを競争水面に設置した状態を示す一部切欠拡大正面図。
【図３】は、図2のターン・マーク用消波機能を有するブイの外筒と内筒の一部切欠拡大部分正面図。
【図４】は、この発明に係る消波機能を有する侵入禁止表示ブイをターン・マークの競争水面に設置した状態で、一端を隣接するターン・マークと、他端をブイと夫々連結した状態を示す一部切欠拡大部分正面図。
【図５】は、図４の侵入禁止表示ブイのV−V線部分拡大略図。
【図６】は、図５の侵入禁止表示ブイから取外した円形締結体の拡大側面図。
【図７】は、締結ボルトの拡大正面略図。
【図８】は、図７の締結ボルトの平面略図。
【図９】は、図８の一部断面正面略図。
【図１０】は、この発明に係る消波機能を有する侵入禁止表示ブイを連結した状態を示す部分拡大正面略図。
【図１１】は、図１０の外筒の両端から半球形キャップを取外した状態を示す部分拡大断面略図。
【図１２】は、この発明に係る消波機能を有する侵入禁止表示ブイを係留用アンカー・チェーンに
より一直線に固定している状態を示す拡大断面略図。
【図１３】は、網状体外筒の網目を示す一部切欠部分拡大略図。
【図１４】は、図１３の網状体外筒の側面図。
【図１５】は、図１３の網状体外筒の網目を示す部分拡大略図。
【図１６】は、図１３―１５の網状体外筒内に貫通される網状体内筒の網目を示す一部切欠部分
拡大略図。
【図１７】は、図１６の網状体内筒の側面図。
【図１８】は、図１６の網状体内筒の網目を示す部分拡大略図。
【符号の説明】
TM1、TM２    ・・・  １、２番ターン・マーク；
B              ・・・  レース艇；
Bｙ            ・・・  丸型ブイ；
１０            ・・・  消波機能を有する侵入禁止表示ブイ；
２０            ・・・  網状体外筒；
２１            ・・・  網目；
３０            ・・・  網状体内筒；
３１            ・・・  網目；
３２            ・・・  棒状フロート部材；
34            ・・・  半球形キャップ；
３４ａ              ・・・  貫通孔；
３６            ・・・  中空管；
３８            ・・・  締結ボルト；
３８ａ            ・・・  螺合溝；
３８ｂ            ・・・  ナット；
４０            ・・・  ワイヤ・ロープ；
４０ａ            ・・・  ストッパー；
５０            ・・・  円形締結体；
５０ａ            ・・・  半円筒形締結体；
５０ｂ            ・・・  フランジ；
５０ｂ’            ・・・  ボルト貫通孔；
５０ｃ            ・・・  ボルト；
５０ｄ            ・・・  ナット；
５２            ・・・  蝶番；
５４            ・・・  アイ・ボルト；
５６、５６ａ、５６ｂ            ・・・  シャックル；
６０            ・・・  係留用アンカー・チェーン；
６２            ・・・  アンカー。
【図１】
0003733412.tif 000002
【図２】
0003733412.tif 000003
【図３】
0003733412.tif 000004
【図４】
0003733412.tif 000005
【図５】
0003733412.tif 000006
【図６】
0003733412.tif 000007
【図７】
0003733412.tif 000008
【図８】
0003733412.tif 000009
【図９】
0003733412.tif 000010
【図１１】
0003733412.tif 000011
【図１２】
0003733412.tif 000012
【図１３】
0003733412.tif 000013
【図１４】
0003733412.tif 000014
【図１５】
0003733412.tif 000015
【図１６】
0003733412.tif 000016
【図１７】
0003733412.tif 000017
【図１８】
0003733412.tif 000018
【図１０】
0003733412.tif 000019